(57)【要約】【課題】上食器かごに被洗浄物をセットしたまま、上食器かごを簡単に移動することによって、下食器かごに被洗浄物を容易にセットできるようにすることにより、食器洗い機の使い勝手を大幅に向上することを目的とする。【解決手段】洗浄槽２に被洗浄物８を収納する上食器かご１３と下食器かご１４との上下２段の食器かごを備え、前記上食器かご１３は、被洗浄物８を収納した姿勢をほぼ保ったままでその位置を移動可能とした。【選択図】図１
2006061358.tif 000002
【特許請求の範囲】
【請求項１】
上方に開口を有する洗浄槽と、洗浄槽に収納され、被洗浄物を収容する上食器かごと下食器かごとの上下２段の食器かごとを備え、前記上食器かごは、被洗浄物を収納した姿勢をほぼ保ったままでその位置を移動可能とした食器洗い機。
【請求項２】
上食器かごは、下食器かごを覆う面積を変更可能とした請求項１記載の食器洗い機。
【請求項３】
上食器かごは、摺動部材によりスライドしてその位置を移動できる構成とした請求項１または２記載の食器洗い機。
【発明の詳細な説明】
【技術分野】
【０００１】
本発明は、食器等の被洗浄物に洗浄水を噴射して洗浄する食器洗い機に関するものである。
【背景技術】
【０００２】
従来、一般的な食器洗い機は、図４に示すように構成していた。以下、その構成について説明する。
【０００３】
図４に示すように、食器洗い機本体１は、内部に洗浄槽２を設けており、洗浄槽２が上方に開放していて、上方からの出し入れが可能となっている。また、洗浄槽２内へは給水弁３により水または湯を供給するようにしている。ここで、その洗浄水の供給は、水位センサ（図示せず）を利用して適切な水位に設定し、給水弁３からの給水を自動的に止める。洗浄槽２の底部には排水孔４を設け、この排水孔４に連通し、モータによって駆動される洗浄ポンプ５を取り付け、この洗浄ポンプ５により洗浄水を洗浄槽２の内部に循環するよう構成している。また、排水孔４には残さいを捕集する残さいフィルタ６を具備している。食器かごは、上食器かご１０と下食器かご１１の上下ニ段で構成されており、洗浄槽２内の空間を効率的に活用して、より多くの被洗浄物を収容して効率よく洗浄できるように工夫されている。また、洗浄ノズル７と洗浄槽２の底部との間には、洗浄水加熱用のヒータ９が装備されている。さらに、給水弁３や洗浄ポンプ５等の電装部品を駆動、制御する制御手段１２が設けられている（例えば、特許文献１参照）。
【０００４】
上記構成において動作を説明する。まず、洗浄槽２を食器洗い機本体１から前方に引き出し、食器かごに被洗浄物をセットする。上食器かご１０に先に被洗浄物をセットしてしまうと下食器かご１１への被洗浄物のセットが行いにくくなるので、通常は下食器かご１１へのセットを先に行う。この点を改良して、上食器かご１０を折りたためるように構成したものもあり、このような構成では、上食器かご１０を折りたたんでおけば、下食器かご１１への被洗浄物のセットはかなり効率的に行える。
【０００５】
そして、洗浄槽２を食器洗い機本体１内に押込んで収納し、洗浄を開始すると、洗浄槽２内に供給された洗浄水は、ヒータ９で加熱され、残さいフィルタ６を通過して洗浄ポンプ５に吸い込まれ、洗浄ポンプ５より洗浄槽２の内底部に設けた洗浄ノズル７に供給される。洗浄ノズル７から噴射された洗浄水は、被洗浄物（食器）８を洗浄した後、再び排水孔４に戻るという経路で循環する。この際、被洗浄物８から脱落した残さい等は、洗浄水とともに残さいフィルタ６に流入し、この残さいフィルタ６を通過できない大きさの残さいは残さいフィルタ６に捕集される。
【特許文献１】特開２００２−１７６４３号公報
【発明の開示】
【発明が解決しようとする課題】
【０００６】
しかしながら、このような従来の構成では、洗浄槽の上方から被洗浄物をセットするため、下食器かごに被洗浄物をセットしようとすると、上食器かごが邪魔になり、セットしづらいという問題があった。特に、下食器かごの上食器かごの真下にあたる位置に被洗浄物をセットしたい場合には、一旦上食器かごを洗浄槽から取り外さなければならないという問題があった。
【０００７】
また、上食器かごが折りたためる構成の場合でも、上食器かごを折りたためば、下食器かごに被洗浄物をセットすることは楽にできるが、上食器かごに被洗浄物をセットしている状態では、その真下にあたる位置に食器をセットしようとすると、上食器かごに被洗浄物が接触するため、例えば、上食器かごの被洗浄物を一旦片付けるか、下食器かごをセットし終わるまで、上食器かごに被洗浄物をセットできないという問題が発生していた。
【０００８】
本発明は上記従来の課題を解決するもので、上食器かごに被洗浄物をセットしたまま、上食器かごを簡単に移動することによって、下食器かごに被洗浄物を容易にセットできるようにすることにより、食器洗い機の使い勝手を大幅に向上することを目的としている。
【課題を解決するための手段】
【０００９】
本発明は上記目的を達成するために、上方に開口を有する洗浄槽と、洗浄槽に収納され、被洗浄物を収容する上食器かごと下食器かごとの上下２段の食器かごとを備え、前記上食器かごは、被洗浄物を収納した姿勢をほぼ保ったままでその位置を移動可能としたものである。
【００１０】
これにより、上食器かごに被洗浄物をセットしたまま、上食器かごを簡単に移動することができるので、下食器かごの全面に亘って、被洗浄物を容易にセットすることができ、食器洗い機の使い勝手を大幅に向上することができる。
【発明の効果】
【００１１】
本発明の食器洗い機は、上食器かごに被洗浄物をセットしたまま、上食器かごを簡単に移動することによって、下食器かごに被洗浄物を容易にセットすることができるので、食器洗い機の使い勝手を大幅に向上することができる。
【発明を実施するための最良の形態】
【００１２】
第１の発明は、上方に開口を有する洗浄槽と、洗浄槽に収納され、被洗浄物を収容する上食器かごと下食器かごとの上下２段の食器かごとを備え、前記上食器かごは、被洗浄物を収納した姿勢をほぼ保ったままでその位置を移動可能としたもので、上食器かごに被洗浄物をセットしたまま、上食器かごを簡単に移動することによって、下食器かごに被洗浄物を容易にセットすることができるので、食器洗い機の使い勝手を大幅に向上することができる。
【００１３】
第２の発明は、上記第１の発明において、上食器かごは、下食器かごを覆う面積を変更可能としたもので、上食器かごを折りたたんで上げてしまうことにより、下食器かごの被洗浄物のセット及び取り出しの際に、下食器かごの全面を扱うことができ、簡単に下食器かごの被洗浄物の出し入れが可能となり、食器洗い機の使い勝手を向上することができる。
【００１４】
第３の発明は、上記第１または第２の発明において、上食器かごは、摺動部材によりスライドしてその位置を移動する構成としたもので、上食器かごに被洗浄物をセットしたまま、上食器かごを簡単に移動することができるので、食器洗い機の使い勝手を大幅に向上することができる。
【００１５】
以下、本発明の実施の形態について、図面を参照しながら説明する。なお、従来例と同じ構成のものは同一符号を付して説明を省略する。また、この実施の形態によって本発明が限定されるものではない。
【００１６】
（実施の形態１）
図１〜図３に示すように、食器洗い機本体１は、上方に開放していて、上方から被洗浄物８の出し入れが可能となっている。また、食器洗い機本体１の内部に洗浄槽２を設けており、洗浄槽２の中に、上下二段からなる上食器かご１３と下食器かご１４を設置している。上食器かご１３は、下食器かご１４の上部を一部覆うように構成されている。また、上食器かご１３には、ローラ摺動部材１５が複数個取り付けてあり、洗浄槽２の前後の側壁に水平方向に取り付けられたレール１６上を、下食器かご１４の上方を食器洗い機の左右方向に移動可能に設置されている。
【００１７】
上記構成において、動作、作用を説明する。まず、洗浄槽２の前方から見て左側に位置させた状態の上食器かご１３ａに被洗浄物８をセットし、次に、この状態の上食器かご１３ａの真下にあたる下食器かご１４のスペースに被洗浄物８をセットするために、上食器かご１３に取り付けられたローラ摺動部材１５を回転させて右方向へ移動させ、レール１６上を上食器かご１３ｂの位置に移動させる。これによって、上食器かご１３ａの下食器かご１４の真上のスペースを空けることができ、空いたスペースから下食器かご１４に被洗浄物をセットすることができる。
【００１８】
また、上食器かご１３は、ローラ摺動部材１５をレール１６上に載せた単純な構造にしてあるので、上食器かご１３に被洗浄物をセットしていない場合は、上食器かご１３を約９０°倒して、上食器かご１３を洗浄槽２の側壁方向に折りたたんで、側壁に保持させることにより、下食器かご１４の真上のスペースがより広く、ほぼ全面開放されることになり、食器洗い機本体１の上方から下食器かご１４に被洗浄物をセットしたり、取り出したりすることが可能となる。なお、上食器かご１３を洗浄槽２の側壁方向に折りたたんで、側壁に保持させるための構造は、上食器かご１３をレール１６上でローラ摺動部材１５の一つを回動中心として約９０°回動させ、洗浄槽２の側壁に当接させる構造等、従来から広く知られた各種構造が使用可能である。
【００１９】
以上のように、本実施の形態においては、上食器かごを被洗浄物のセットした姿勢を保ったままで移動可能としたので、上食器かごに被洗浄物をセットしたまま、その下の下食器かごに食器をセットすることが容易となり、上食器かご１３の被洗浄物１７を一旦片付けるか、下食器かご１４をセットし終わるまで、上食器かご１３に被洗浄物１７が置けないといったことがなくなり、食器洗い機の使い勝手を格段に向上することが可能となる。
【００２０】
また、上食器かご１３は、下食器かご１４を覆う面積を変更可能としたこと、すなわち、上食器かご１３を折りたたんで、洗浄槽２の側壁に保持させることによって、上食器かご１３が覆っていた下食器かご１４のスペースがより広く、ほぼ全面開放され、下食器かご１４に自由に被洗浄物のセットや取り出しができるようになる。
【産業上の利用可能性】
【００２１】
以上のように、本発明にかかる食器洗い機は、上方に開口を有する食器洗い機において、上下２段の食器かごを備え、上食器かごは、被洗浄物を収納した姿勢をほぼ保ったままで下食器かごの上方を、その位置を移動可能としたことにより、食器洗い機の使い勝手を大幅に向上することができるので、食器等の被洗浄物に洗浄水を噴射して洗浄する食器洗い機等として有用である。
【図面の簡単な説明】
【００２２】
【図１】本発明の実施の形態１の食器洗い機の縦断面図
【図２】同食器洗い機の横断面図
【図３】同食器洗い機の上食器かごを折りたたんだ状態の縦断面図
【図４】従来の食器洗い機の縦断面図
【符号の説明】
【００２３】
１  食器洗い機本体
２  洗浄槽
１３  上食器かご
１４  下食器かご
１５  ローラ摺動部材
１６  レール
【図１】
2006061358.tif 000003
【図２】
2006061358.tif 000004
【図３】
2006061358.tif 000005
【図４】
2006061358.tif 000006